(57)【要約】      （修正有）【課題】色覚を十分に補正できなかった色覚異常者の色覚を補正できるようにした色覚補正レンズを提供する。【解決手段】色覚補正レンズに係る光の透過率曲線１１，１２，１３は、光の波長が５５０ｎｍ以上５６０ｎｍ未満の領域に透過率の最小値１１ａ，１２ａ，１３ａを有する。【選択図】図１
2020000287.tif 000002
【特許請求の範囲】
【請求項１】
色覚異常者の色覚を補正する色覚補正レンズであって、
光の波長が５５０ｎｍ以上５６０ｎｍ未満の領域に透過率の最小値を有する透過率曲線を備えることを特徴とする色覚補正レンズ。
【請求項２】
色覚異常者の色覚を補正する色覚補正レンズであって、
光の波長が５６０ｎｍ以上５７０ｎｍ未満の領域に透過率の最小値を有する透過率曲線を備えることを特徴とする色覚補正レンズ。
【請求項３】
色覚異常者の色覚を補正する色覚補正レンズであって、
光の波長が５７０ｎｍ以上５８０ｎｍ未満の領域に透過率の最小値を有する透過率曲線を備えることを特徴とする色覚補正レンズ。
【請求項４】
前記透過率の最小値が、波長が５６４ｎｍの黄色光の透過率より３０％以上低い請求項１、又は請求項３に記載の色覚補正レンズ。
【請求項５】
前記透過率の最小値が、波長が５３４ｎｍの緑色光の透過率より３０％以上低い請求項１、又は請求項２に記載の色覚補正レンズ。
【請求項６】
色覚異常者の色覚を補正する色覚補正レンズであって、
光の波長が４５０ｎｍ以上５１０ｎｍ未満の領域、又は５８０ｎｍ以上６３０ｎｍ未満の領域に透過率の最小値を有する透過率曲線を備えることを特徴とする色覚補正レンズ。
【発明の詳細な説明】
【技術分野】
【０００１】
この発明は、色覚異常者の色の判別を補助する色覚補正レンズに関し、特に、波長により光の透過率が異なる透過率曲線を備える色覚補正レンズに関する。
【背景技術】
【０００２】
従来、色覚異常者の色覚特性に合わせた透過率曲線を設けることで、色覚異常者が判別不能な色を判別可能とする色覚補正レンズ（例えば、特許文献１）が市販されている。
【０００３】
色覚正常者は、それぞれ赤、緑、青の光を感じるＬ、Ｍ、Ｓの３種の錐体細胞を有するところ、特許文献１の色覚補正レンズは、いわゆる赤緑色覚異常は、緑色光を感知するＭ錐体細胞が赤色光を感知するＬ錐体細胞より感度が相対的に強いために生じるという理論に基づき、緑色光の透過率を抑えるべく谷を設けた透過率曲線を有するものである。
【０００４】
つまり、色覚正常者のＬ、Ｍ、Ｓの３つの錐体細胞は、図８に示したような感度曲線Ｌ、Ｍ、Ｓ（非特許文献１参照）を有しており、これに対し、赤緑色覚異常者は、緑色光を感じるＭ錐体細胞と青色光を感じるＳ錐体細胞は色覚正常者と同じ感度曲線Ｍ、Ｓを有する一方で、赤色光を感じるＬ錐体細胞の感度曲線は、二点鎖線で示した感度曲線Ｌ１のように、感度が弱いと想定する。
【０００５】
すると、赤緑色覚異常者の緑色光を感じる感度曲線Ｍは、赤色光を感じる感度曲線Ｌ１より相対的に高くなる。そのため、特許文献１の色覚補正レンズでは、赤緑色覚異常者の緑色光に対する感度を抑えるため、波長が５３４ｎｍ近傍の緑色光の透過率を抑えた透過率曲線を設けている。
【先行技術文献】
【特許文献】
【０００６】
【特許文献１】特開２０１４−１３４６６１公開公報
【非特許文献】
【０００７】
【非特許文献１】「眼の常識・非常識」ホームページの「視覚系とカラー認識‐１」のページ  平成３０年５月２８日検索  ＜ｈｔｔｐ：／／ｙ‐ｏｋ.ｃｏ緑／ｅｙｅ／ｅｙｅ青ｉｇｈｔ／ｅｙｅ青ｉｇｈｔ‐２.ｈｔ緑＞
【発明の概要】
【発明が解決しようとする課題】
【０００８】
しかし、特許文献１のどのタイプの色覚補正レンズを着用しても、十分に色覚を補正することができない色覚異常者が、未だ少なからぬ割合で存在し、このような色覚異常者に最適な透過率曲線を見出すことが、長く課題となっている。
【０００９】
そして、本発明者は鋭意研究を重ねるうちに、赤緑色覚異常者の中には、Ｍ錐体細胞の感度が相対的に高いという以外の原因により色覚に異常を来しているものがいるのではないかと考え、例えば、Ｍ錐体細胞の感度曲線のピークＭｐを呈する光の波長と、Ｌ錐体細胞の感度曲線のピークＬｐを呈する光の波長が相対的に近いために発症しているものがあるのではという考えに至る。つまり、図２の二点鎖線で示した感度曲線Ｍ１のように、ピークＭ１ｐがＬ錐体細胞に係る感度曲線ＬのピークＬｐに近いことで、緑色光を感じる感度曲線Ｍ１と赤色光を感じる感度曲線Ｌが重なるために、赤色と、緑色の区別が付かなくなっていると考えたものであり、そうであれば、かかる色覚異常者は、波長が５３４ｎｍ近辺の光の透過率を抑えても、Ｍ錐体細胞と、Ｌ錐体細胞の感度曲線を異ならせることができないという問題が有る。
本発明は、上記課題に鑑みてなされたものであり、従来の色覚補正レンズでは、適切な色覚補正ができなかった色覚異常者が、十分に色覚補正できるような色覚補正レンズの提供を目的とする。
【課題を解決するための手段】
【００１０】
上記課題を解決するためになされた発明は、色覚異常者の色覚を補正する色覚補正レンズであって、光の波長が５５０ｎｍ以上５６０ｎｍ未満の領域に透過率の最小値を有する透過率曲線を備えることを特徴とする。
【００１１】
このように、光の波長が５５０ｎｍ以上５６０ｎｍ未満の領域に透過率曲線における透過率の最小値を設けることで、Ｍ錐体細胞の感度曲線のピークが、色覚正常者に比べて高波長側に移動するか、あるいは、Ｌ錐体細胞の感度曲線のピークが低波長側に移動することで、Ｍ錐体細胞と、Ｌ錐体細胞の感度曲線が近似してしまっている色覚異常者の、この移動した方の錐体細胞のピークを低くして、Ｍ錐体細胞とＬ錐体細胞による感度曲線に差を設けることができる。
【００１２】
本発明は、色覚異常者の色覚を補正する色覚補正レンズであって、光の波長が５６０ｎｍ以上５７０ｎｍ未満の領域に透過率の最小値を有する透過率曲線を備えることを特徴とする色覚補正レンズを含む。
こうすることで、Ｍ錐体細胞の感度曲線の透過率のピークが色覚正常者に比べて低い色覚異常者の、Ｌ錐体細胞の透過率のピークを低くすることにより、当該色覚異常者のＭ錐体細胞とＬ錐体細胞による感度曲線との相対関係を色覚正常者のそれに近づけることができる。
【００１３】
本発明は、色覚異常者の色覚を補正する色覚補正レンズであって、光の波長が５７０ｎｍ以上５８０ｎｍ未満の領域に透過率の最小値を有する透過率曲線を備えることを特徴とする色覚補正レンズを含む。
Ｍ錐体細胞のピークが大きく高波長側に移動して、Ｍ錐体細胞の感度曲線のピークがこの波長範囲にあることにより、赤緑色覚異常を来しているような場合には、このように、色覚補正レンズに光の波長が５７０ｎｍ以上５８０ｎｍ未満の領域に透過率の最小値を有する透過率曲線を設けることで、このようなＭ錐体細胞の感度曲線のピークを低くして、Ｍ錐体細胞とＬ錐体細胞による感度曲線に差を設けることができる。
【００１４】
上記の光の波長が５５０ｎｍ以上５６０ｎｍ未満の領域に透過率の最小値を有する色覚補正レンズや、上記の光の波長が５７０ｎｍ以上５８０ｎｍ未満の領域に透過率の最小値を有する透過率曲線を備えた色覚補正レンズでは、前記透過率の最小値が、波長が５６４ｎｍの黄色光の透過率より３０％以上低いことが好ましい。
光の波長が５５０ｎｍ以上５６０ｎｍ未満の領域にＭ錐体細胞の感度曲線のピークがある色覚異常者や、光の波長が５７０ｎｍ以上５８０ｎｍ未満の領域に赤初体細胞の感度曲線のピークがある色覚異常者の場合には、このような色覚補正レンズを着用することで、Ｍ錐体細胞とＬ錐体細胞の感度により大きく差をつけることができる。
【００１５】
上記の光の波長が５５０ｎｍ以上５６０ｎｍ未満の領域に透過率の最小値を有する色覚補正レンズでは、前記透過率の最小値が、波長が５３４ｎｍの緑色光の透過率より３０％以上低いことが好ましい。
当該波長範囲にＬ錐体細胞の感度曲線のピークがある色覚異常者の場合には、このような色覚補正レンズを着用することで、Ｍ錐体細胞とＬ錐体細胞の感度により大きく差をつけることができる。
尚、ここで、「色覚補正レンズ」とは、近視や遠視の屈折異常等、色覚異常以外の異常を矯正する機能を備えないものを含むものとする。
【００１６】
本発明は、色覚異常者の色覚を補正する色覚補正レンズであって、光の波長が４５０ｎｍ以上５１０ｎｍ未満の領域、又は５８０ｎｍ以上６３０ｎｍ未満の領域に透過率の最小値を有する透過率曲線を備えることを特徴とする色覚補正レンズを含む。
色覚異常が、錐体細胞の感度曲線のピークが移動することにより生じている場合において、その移動したピークの波長が、４５０ｎｍ以上５１０ｎｍ未満の領域、又は５８０ｎｍ以上６３０ｎｍ未満の領域に在る場合も考えられ、このような場合にも、その感度曲線がピークとなる波長の近傍に透過率曲線の最小値を設けた色覚補正レンズを用いることにより、色覚補正を行うことができる。
【発明の効果】
【００１７】
以上、本発明の色覚補正レンズによれば、これまでの色覚異常補正レンズで色覚が補正できなかった色覚異常者に対し、色覚補正を行うことができる。
【図面の簡単な説明】
【００１８】
【図１】本発明の第１実施形態に係る色覚補正レンズの透過率曲線である。
【図２】第１実施形態に係る色覚補正レンズの対象として想定した色覚異常者の錐体細胞の感度曲線を色覚正常者の錐体細胞の感度曲線と比較して示した模式グラフである。
【図３】第１実施形態に係る色覚補正レンズの対象として想定した、図２に示した色覚異常者とはまた別の色覚異常者の錐体細胞の感度曲線を色覚正常者の錐体細胞の感度曲線と比較して示した模式グラフである。
【図４】本発明の第２実施形態に係る色覚補正レンズの透過率曲線である。
【図５】第２実施形態に係る色覚補正レンズの対象として想定した色覚異常者の錐体細胞の感度曲線を色覚正常者の錐体細胞の感度曲線と比較して示した模式グラフである。
【図６】本発明の第３実施形態に係る色覚補正レンズの透過率曲線である。
【図７】第３実施形態に係る色覚補正レンズの対象として想定した色覚異常者の錐体細胞の感度曲線を色覚正常者の錐体細胞の感度曲線と比較して示した模式グラフである。
【図８】従来の色覚補正レンズの対象として想定した色覚異常者の錐体細胞の感度曲線を色覚正常者の錐体細胞の感度曲線と比較して示した模式グラフである。
【図９】本発明のその他の実施形態に係る色覚補正レンズの透過率曲線である。
【発明を実施するための形態】
【００１９】
以下、適宜図面を用いながら本発明の実施形態について詳述する。ただし、本発明は以下の実施形態に限られるものではない。
【００２０】
本発明の色覚補正レンズは、レンズ基体の表面に多層膜を設けることにより、光の波長により透過率が変化する透過率曲線が付与されている。
レンズ基体は、プラスチックやガラス等の素材から研磨やプレス等により形成され、プラスチックレンズの材料としては、例えば、ポリメチルメタクリレート等のメタクリル樹脂、ポリカーボネート、ポリジエチレングリコールビスアリルカーボネート等のポリジアリルグリコールカーボネート類、ポリスチレン等を用いることができる。
多層膜の形成方法としては、多層フィルムを貼着して形成する方法や、真空蒸着法、イオンプレーティング法、スパッタリング法等を用いることができる。
ただし、レンズ基体に、顔料を練り込む等、多層膜を設ける以外の方法により透過率曲線を設けてもよいことはいうまでもない。
【００２１】
（第１実施形態）
図１は、本発明の第１実施形態に係る３種の色覚補正レンズの透過率曲線１１，１２，１３を模式的に示している。
【００２２】
透過率曲線１１，１２，１３は、光の波長が５５０ｎｍ以上５６０ｎｍ未満の領域に透過率の最小値１１ａ，１２ａ，１３ａを有している。また、透過率曲線１１，１２，１３において、波長が５３４ｎｍの緑色光に対する透過率、及び波長が５６４ｎｍの黄色光に対する透過率は、共に最小値１１ａ，１２ａ，１３ａより３０％以上高く設けられている。図１の例では、透過率曲線１１，１２，１３の透過率の最小値１１ａ，１２ａ，１３ａは、それぞれ４０％、３５％、３０％であり、透過率曲線１１，１２，１３の波長が５３４ｎｍの緑色光対する透過率１１ｂ，１２ｂ，１３ｂは、それぞれ８０％、７５％、７０％、波長が５６４ｎｍの黄色光に対する透過率１１ｃ，１２ｃ，１３ｃもそれぞれ８０％、７５％、７０％、である。
【００２３】
第１実施形態に係る色覚補正レンズは、図２に二点鎖線で示したＭ錐体細胞の感度曲線Ｍ１と、色覚正常者と同じＬ、Ｓ錐体細胞の感度曲線Ｌ、Ｓを有すると想定した色覚異常者Ａを対象としている。色覚異常者Ａは、Ｍ錐体細胞の感度曲線Ｍ１が、色覚正常者のＭ錐体細胞の感度曲線Ｍよりも高波長側に位置しておりＬ錐体細胞の感度曲線Ｌに近いことで、赤緑色覚に異常を来していると想定した者である。色覚異常者Ａの感度曲線Ｍ１のピークＭ１ｐの波長が５５０ｎｍ以上５６０ｎｍ未満の領域に位置しているとすると、従来の色覚補正レンズのように、５３４ｎｍ近辺の波長の光の透過率を抑えても、感度曲線Ｍ１と感度曲線Ｌの間にあまり差異を設けることができない。そこで、第１実施形態に係る色覚補正レンズでは、光の波長が５５０ｎｍ以上５６０ｎｍ未満の領域に透過率の最小値を有する透過率曲線を設け、感度曲線Ｍ１のピークＭ１ｐ近傍の波長の感度を下げることで感度曲線Ｍ１と感度曲線Ｌに差異を設けて色覚異常者Ａに赤と緑の光の区別をさせようとするものである。
尚、図２等における比感度とは、色覚正常者のＭ錐体細胞の感度曲線のピークＭｐの感度に対する各錐体細胞の感度の比を示している。
【００２４】
また、第１実施形態に係る色覚補正レンズは、図３に二点鎖線で示したＬ錐体細胞の感度曲線Ｌ２と、色覚正常者と同じＭ、Ｓ錐体細胞の感度曲線Ｍ、Ｓとを有すると想定した色覚異常者Ｂをも対象としている。色覚異常者Ｂは、Ｌ錐体細胞の感度曲線Ｌ２が、色覚正常者のＬ錐体細胞の感度曲線Ｌよりも低波長側に位置しており、Ｍ錐体細胞の感度曲線Ｍに近いことで、赤緑色覚に異常を来していると想定する。色覚異常者Ｂの感度曲線Ｌ２のピークＬｐの波長は、５５０ｎｍ以上５６０ｎｍ未満の領域に位置しており、光の波長が５５０ｎｍ以上５６０ｎｍ未満の領域に透過率の最小値を有する透過率曲線を設けた第１実施形態に係る色覚補正レンズにより、感度曲線Ｌ２のピークを下げることで、感度曲線Ｍと感度曲線Ｌ２に差異を設けて色覚異常者Ｂに赤と緑の光の区別をさせることができる。
【００２５】
（第２実施形態）
図４は、本発明の第２実施形態に係る３種の色覚補正レンズの透過率曲線２１，２２，２３を模式的に示している。
透過率曲線２１，２２，２３は、光の波長が５６０ｎｍ以上５７０ｎｍ未満の領域に透過率の最小値２１ａ，２２ａ，２３ａを有している。また、透過率曲線２１，２２，２３において、波長が５３４ｎｍの緑色光に対する透過率２１ｂ，２２ｂ，２３ｂは、最小値２１ａ，２２ａ，２３ａより３０％以上高く設けられている。図４の例では、透過率曲線２１，２２，２３の透過率の最小値２１ａ，２２ａ，２３ａは、それぞれ４０％、３５％、３０％であり、透過率曲線２１，２２，２３の波長が５３４ｎｍの緑色光に対する透過率２１ｂ，２２ｂ，２３ｂは、それぞれ８０％、７５％、７０％である。
【００２６】
第２実施形態に係る色覚補正レンズは、図５に二点鎖線で示したＭ錐体細胞の感度曲線Ｍ２と、色覚正常者と同じＬ、Ｓ錐体細胞の感度曲線Ｌ、Ｓとを有すると想定した色覚異常者Ｃを対象としている。色覚異常者Ｃは、Ｍ錐体細胞の感度曲線Ｍ２が、色覚正常者のＭ錐体細胞の感度曲線Ｍよりも低くなっているため、Ｍ錐体細胞とＬ錐体細胞の感度曲線の相対関係が色覚正常者のそれと異なるため赤緑色覚に異常を来していると想定する。そこで、第２実施形態に係る色覚補正レンズでは、色覚異常者Ｃの感度曲線Ｌのピーク波長５６４ｎｍの近辺の５６０ｎｍ以上５７０ｎｍ未満の波長領域に透過率の最小値を有する透過率曲線を設け、感度曲線Ｌのピークを下げることで、感度曲線Ｍ２と感度曲線Ｌの相対関係を色覚正常者のそれに近づけて色覚異常者Ｃに赤と緑の光の区別をさせようとするものである。
【００２７】
（第３実施形態）
図６は、本発明の第３実施形態に係る３種の色覚補正レンズの透過率曲線３１，３２，３３を模式的に示している。
【００２８】
透過率曲線３１，３２，３３は、光の波長が５７０ｎｍ以上５８０ｎｍ未満の領域に透過率の最小値３１ａ，１２ａ，１３ａを有している。また、透過率曲線３１，３２，３３において、波長が５６４ｎｍの黄色光に対する透過率３１ｃ，３２ｃ，３３ｃは、それぞれ最小値３１ａ，３２ａ，３３ａより３０％以上高く設けられている。図６の例では、透過率曲線３１，３２，３３の透過率の最小値は、それぞれ４０％、３５％、３０％であり、透過率曲線１１，１２，１３の波長が５６４ｎｍの黄色光対する透過率は、それぞれ８０％、７５％、７０％、である。
【００２９】
第３実施形態に係る色覚補正レンズは、図７に二点鎖線で示したＭ錐体細胞の感度曲線Ｍ３と、色覚正常者と同じＬ、Ｓ錐体細胞の感度曲線Ｌ、Ｓを有すると想定した色覚異常者Ｄを対象としている。色覚異常者Ｄは、Ｍ錐体細胞の感度曲線Ｍ３が、色覚正常者のＭ錐体細胞の感度曲線Ｍよりも大きく高波長側に位置しており、Ｌ錐体細胞の感度曲線Ｌに近いことで、赤緑色覚に異常を来していると想定する。色覚異常者Ｄの感度曲線Ｍ３のピークＭ３ｐの波長は、５７０ｎｍ以上５８０ｎｍ未満の領域に位置しており、従来の色覚補正レンズの様に、５３４ｎｍ近辺の波長の光の透過率を抑えても、感度曲線Ｍ３と感度曲線Ｌの間にあまり差異を設けることができない。そこで、第３実施形態に係る色覚補正レンズでは、光の波長が５７０ｎｍ以上５８０ｎｍ未満の領域に透過率の最小値を有する透過率曲線を設け、感度曲線Ｍ３のピークを下げることで、感度曲線Ｍ３と感度曲線Ｌに差異を設けて色覚異常者Ｄに赤と緑の光の区別をさせようとするものである。
【００３０】
（その他の実施形態）
図９の透過率曲線４１，４２，…，５０は、本発明のその他の実施形態に係る色覚補正レンズの透過率曲線を示している。色覚異常が、Ｌ、Ｍ、Ｓ錐体細胞のいずれかの感度曲線のピークの波長が色覚正常者と異なることにより発生するとしたなら、そのピークの波長の存在する波長領域の光の透過率を抑えるような透過率曲線を設けた色覚補正レンズを着用することで、色覚補正を行うことができる。透過率曲線４１，４２，…，５０は、それぞれ、Ｌ、Ｍ、Ｓ錐体細胞のいずれかの感度曲線のピークの波長が、（４５０＋１０×Ｎ）ｎｍ以上（４６０＋１０×Ｎ）ｎｍ以下（Ｎ＝０，１，２，３，４，５，１３，１４，１５，１６，１７）の領域に移動していることにより色覚異常を生じている色覚異常者の当該感度曲線のピークを抑えるべく、その領域の光の透過率を抑えるために、その領域に透過率の最小値を設けるようにした透過率曲線である。
図９において、符号１４，２４，３４は、それぞれ、第１、第２、第３実施形態に係る色覚補正レンズの透過率曲線を示している。
例えば、図９に記載したように、透過率の最小値の属する領域の異なる複数のレンズを組にした色覚補正レンズセットを用意することで、従来の色覚補正レンズで色覚を補正することができない色覚異常者に、この色覚補正レンズセットのレンズを試してもらうことで、色覚異常を補正できる色覚異常者の数を大幅に増やすことができる。
【００３１】
以上、本発明の色覚異常体験レンズは、上述した実施形態に限られず、例えば、第１、第３実施形態において、透過率の最小値と波長が５６４ｎｍの黄色光の透過率の差が３０％未満であってもよい。また、第２実施形態において、透過率の最小値と、波長が５３４ｎｍの緑色光の透過率の差が３０％未満であってもよい。透過率の最小値の値も上述した値に限られない。
【符号の説明】
【００３２】
透過率曲線１１，１２，１３，１４，２１，２２，２３，２４，３１，３２，３３，３４，４１，４２，４３，４４，４５，４６，４７，４８，４９，５０
最小値１１ａ，１２ａ，１３ａ，２１ａ，２２ａ，２３ａ，３１ａ，３２ａ，３３ａ
【図１】
2020000287.tif 000003
【図２】
2020000287.tif 000004
【図３】
2020000287.tif 000005
【図４】
2020000287.tif 000006
【図５】
2020000287.tif 000007
【図６】
2020000287.tif 000008
【図７】
2020000287.tif 000009
【図８】
2020000287.tif 000010
【図９】
2020000287.tif 000011